(57)【要約】【課題】通気性・収納性に優れ、虫の付着を防止することができ、また、カバー自体を洗濯でき、洗濯物の落下防止ができるといった洗濯物用カバーを提供する。【解決手段】本考案の洗濯物用カバーは、物干し竿に掛けられた洗濯物を上方、下方、前方、後方、両側面から全体に覆うカバーであって、前記カバーは合成樹脂からなるメッシュ状のシートであり、前記メッシュの径が１乃至５ｍｍであることを特徴とする。また、メッシュ状のシートが黒系統色にすることで、虫を近寄り難くし、同時に太陽光の熱を吸収してカバー内部の洗濯物を放射熱でよく乾燥させる効果を図っている。【選択図】図１
0003123189.tif 000002
【実用新案登録請求の範囲】
【請求項１】
物干し竿に掛けられた洗濯物を上方、下方、前方、後方、両側面から全体に覆うカバーであって、前記カバーは合成樹脂からなるメッシュ状のシートであり、前記メッシュの径が１乃至５ｍｍであることを特徴とする洗濯物用カバー。
【請求項２】
前記メッシュ状のシートが黒系統色であることを特徴とする請求項１に記載の洗濯物用カバー。
【請求項３】
前記カバーの端部にメッシュ状の収納袋が備えられ、該収納袋に前記カバー全体を折畳んで収納できるようにしたことを特徴とする請求項１又は２に記載の洗濯物用カバー。
【考案の詳細な説明】
【技術分野】
【０００１】
本考案は、物干し竿に掛けられた洗濯物の虫除けのため及び地面落下防止のための洗濯物用カバーに関するものである。
【背景技術】
【０００２】
従来から、種々の洗濯物用カバーが知られている（例えば、特許文献１）。
特許文献１に記載されている洗濯物用カバーは、合成樹脂製のシートを材料に用いて作られ、物干し竿に掛けられた洗濯物を上方、前方、後方から覆う中央のカバー部と、この中央のカバー部の両側に結合され物干し竿に掛けられた洗濯物を側方から覆う両側のカバー部とから成るもので、急な降雨時においても屋外で干されている洗濯物を採り入れることなく、そのまま屋外で干し続けることができる洗濯物覆い用カバーである。
【０００３】
しかし、特許文献１に記載されている洗濯物用カバーの場合、合成樹脂製のシートを材料としており、通気性の面で問題となっていた。すなわち、合成樹脂製のシートで、上方、前方、後方、側面を覆うため、空気の流れが下部から入り下部からでることとなるため、通気性が不十分で洗濯物の乾きにくいといった点である。
また、下部にはカバーがないため、虫の多い地域では下部から虫が入り洗濯物に付着してしまうという問題がある。さらに、下部にはカバーがないため、洗濯物が落下して汚れてしまうという難点もある。
【０００４】
また、通常の洗濯物干しカバーの場合、雨や花粉や粉塵などを防ぐカバーとして開発されており、通気性，収納性の面で問題があり、また、カバー自体の洗濯ができないなど使い勝手が悪いという問題がある。
また、地方のように虫の多い地域では、通常の洗濯物干しカバーを用いた場合、完全に洗濯物を覆うことができないことから、虫を完全にはガードできないといった問題点が指摘されている。
【０００５】
【特許文献１】特開２００４−１６５３１号公報
【考案の開示】
【考案が解決しようとする課題】
【０００６】
本考案の洗濯物用カバーが解決しようとする課題は、第一に、通気性をよくすることである。従来の洗濯物用カバーは、素材としてはビニールシート状のものが多く採用されており、通気性が十分に確保できていないという問題を解決しようとするものである。
第二に、収納性をよくすることである。カバーの開口部が広くとれないため、衣類等の出し入れがスムーズにできないという問題、また、ファスナーなどを開けたときに、カバー部が垂れ下がって地面に接触し汚れるといった問題を解決しようとするものである。
第三に、衛生上、カバー自体の洗濯が行えるようにすることである。
第四に、虫除けを行うことである。地方のように虫の多い地域でも、虫を完全にガードできるようにするものである。
第五に、洗濯物が落下しても洗濯物が汚れないようなカバーにすることである。
本考案は、上記の課題を解決すべく、通気性・収納性に優れ、虫の付着を防止することができ、また、カバー自体を洗濯でき、洗濯物の落下防止ができるといった衛生上好ましい洗濯物を得ることができる洗濯物用カバーを提供することにある。
【課題を解決するための手段】
【０００７】
本考案者は、虫の多い地方で暮らしており、上記の問題に日々苦慮していた。そのため、自身を含めて虫が苦手な人のために実用性等の様々な検討を行い、カバーの試作・改良を重ねた上で、本考案を完成したものである。
上記目的を達成するために、本考案に係る洗濯物用カバーは、以下の構成を備えるものである。
【０００８】
本考案の第１の観点によれば、物干し竿に掛けられた洗濯物を上方、下方、前方、後方、両側面から全体に覆うカバーであって、前記カバーは合成樹脂からなるメッシュ状のシートであり、前記メッシュの径が１乃至５ｍｍであることを特徴とする洗濯物用カバーが提供される。
ここで、合成樹脂は、好ましくはポリエステル樹脂がよい。ポリエステル樹脂からなるシートは、通気性が非常によいことがわかっている。また、メッシュの径を１乃至５ｍｍとしたのは、虫がカバーに付いても払いやすくするためである。
【０００９】
次に、本考案の第２の観点によれば、第１の観点において、メッシュ状のシートが黒系統色であることを特徴とする洗濯物用カバーが提供される。
ここで、メッシュ状のシートを黒系統色とするのは、黒系統色は虫が一番近寄り難い色であることと、黒系統色が太陽光の熱を吸収してカバー内部の洗濯物を放射熱でよく乾燥させる効果を狙ったものである。
【００１０】
また、本考案の第３の観点によれば、第１または第２の観点において、カバーの端部にメッシュ状の収納袋が備えられ、該収納袋にカバー全体を折畳んで収納できるようにしたことを特徴とする洗濯物用カバーが提供される。
収納袋によって、洗濯用カバーを使用しない時は丸めて簡単に収納でき、かつ、収納した状態で洗濯もでき、また、持運びも容易にできることになる。
また、洗濯時は、収納袋によってカバーの絡み合い状態を避けることができ、更に、そのまま収納袋に収納した状態で、カバーを干すこともでき、利便性が向上する。
【００１１】
また、洗濯用カバー上部の両端には、物干し竿を通す丸孔状の支持部から虫が進入しない様に、紐による絞りとそれを固定する物を取付けしている。
さらに、洗濯用カバーの開口部はファスナー及びクリップにより虫の侵入を防ぐ構造となっており、開口部はできるだけ小さく作業性を考慮してファスナー及びクリップの距離を短くしている。
【考案の効果】
【００１２】
本考案に係る洗濯物用カバーは、上述の通り構成されているので、次に記載する効果を奏する。
先ず、洗濯物を黒メッシュのカバーすることにより、通気性もよく乾きやすい。また、虫を除けることができる。それゆえ、虫が発生する時期でも家の外に干すことが可能となる。また、洗濯物が完全に覆われている為、風が吹いても洗濯物が落ちることもなく、洗濯物が物干し竿から外れてもカバーの下部のメッシュシートでカバー内部に支えられ、地面に落ちて汚れることはない。
【００１３】
さらに、収納袋によって、カバー自体の洗濯やカバー収納も容易にでき、持運びも便利であるといった効果がある。
【考案を実施するための最良の形態】
【００１４】
以下、本考案を実施するための最良の形態を図面に基づいて説明する。
図１から図５に、それぞれ本考案の洗濯物用カバーの全体斜視図，正面図，側面図，上面図，底面図を示す。
【実施例１】
【００１５】
実施例１の洗濯物用カバーの形状は、ハンガーを用いて洗濯物を物干し竿２にかけて乾かすことを想定して、洗濯物全体をカバーできるような形状としている。すなわち、図１に示されるように、干し竿にかけたハンガーの形状にフィットすべく、洗濯物用カバー１の上部は屋根形状とした。洗濯物のハンガーの傾斜に沿って、上部の屋根形状が形成されているのである。洗濯物用カバー１はこの屋根形状が形成されることで、内部に空間を作ることができ、内部に洗濯物を収納できるようになる。
【００１６】
また、支持部３を通して、物干し竿２が洗濯物用カバー１の上部を支えることができるようにした。この支持部３の貫通孔の周囲には絞りヒモ４があり、この絞りヒモ４を調整することによって、洗濯物用カバー１を物干し竿２にしっかりと取り付けることができ、強風などで洗濯物用カバーがずれないようにしている。
洗濯物用カバー１の支持部（２箇所）に、市販の物干し竿２を通し、絞りヒモ４を物干し竿に対して隙間無く絞るのである。
【００１７】
実施例１の洗濯物用カバー自体は、ポリエステル繊維からなる２ｍｍ角の網目状（メッシュ状）のシート材であり、上方、下方、前方、後方、両側面からなるパーツ毎に加工している。特に、骨組みは必要ない。
【００１８】
洗濯物用カバー１の下部（底面部）も網目状（メッシュ状）のシート材で覆っているため、虫が下から洗濯物用カバー１内部に入ることもなく、また、洗濯物が落下した場合でも地面に洗濯物が落ちることはない。
【００１９】
ファスナー５は、洗濯物を洗濯物用カバー１から出し入れする際にカバーを開口させるために用いられる。また、専用洗濯用カバー６は、洗濯物用カバー１本体の丸洗い洗濯や収納がコンパクトにできるようにするものである。
図２の正面図は、洗濯物用カバー１の側面部７に設けられたファスナー５によって開口した様子を示している。
【００２０】
洗濯物用カバーは上記のような構成としているため、季節により虫が大量発生しても洗濯物を屋外で干すことができ、虫が衣類に付着することが無く、また虫が衣類に付着していないか否かを確認する手間が不要となり、家の中に洗濯物と一緒に虫を取り入れることも無い。また、風により洗濯物が地面に落ちることがないので安心して、洗濯物を外で物干し竿にかけて乾燥することができるのである。
【産業上の利用可能性】
【００２１】
本考案に係る洗濯物用カバーは、洗濯物を物干し竿で乾燥させる場合に、洗濯物に虫が付着することを防止することができるため、特に、虫の発生が多い地方において有用性が高い。
【図面の簡単な説明】
【００２２】
【図１】本考案の洗濯物用カバーの全体を示す斜視図である。
【図２】本考案の洗濯物用カバーの実施例を示す正面図である。
【図３】本考案の洗濯物用カバーの側面図である。
【図４】本考案の洗濯物用カバーの上面図である。
【図５】本考案の洗濯物用カバーの底面図である。
【符号の説明】
【００２３】
１  洗濯物用カバー
２  物干し竿
３  支持部
４  絞りヒモ
５  ファスナー
６  専用洗濯用カバー
７  側面部
８  側面部
９  屋根形状部
１０  底面部
【図１】
0003123189.tif 000003
【図２】
0003123189.tif 000004
【図３】
0003123189.tif 000005
【図４】
0003123189.tif 000006
【図５】
0003123189.tif 000007